(57)【要約】      （修正有）【課題】小型ブラシ及び小型ノズルを吸込パイプに取り付けた状態で、選択的に使用できるようにすることにより、小型ブラシと小型ノズルの付け替え作業に手間がかからない電気掃除機を提供すること。【解決手段】電気掃除機は、ブラシ本体の端面にブラシ毛２３が植毛され且つ吸込パイプの他端部に回動可能に取り付けられた小型ブラシ１３と、他端開口に連通させる連通口３２が設けられ且つ小型ブラシ１３とは反対側の外周面に取り付けられた小型ノズル１４を備えている。小型ノズル１４は吸込パイプの長手方向にスライド移動可能に且つ吸込パイプの他端の位置で吸込パイプと所定角度を為すことが可能なスライド回動機構を介して吸込パイプに取り付けられ、小型ノズル１４を吸込パイプの他端まで移動させた位置で小型ブラシ１３と小型ノズル１４を係止させる係止手段Ｂが設けられ、連通口３２と前記吸込パイプの他端開口とを連通させる空間３６を形成している。【選択図】  図１１
2006280424.tif 000002
【特許請求の範囲】
【請求項１】
集塵室及び該集塵室に吸込負圧を作用させる電動送風機が設けられた掃除機本体と、
一端部が前記集塵室に連通させられた吸込パイプと、
前記吸込パイプの他端部に着脱可能に取り付けられた吸込口体と、
ブラシ本体の端面にブラシ毛が植毛され且つ前記吸込パイプの他端部に回動可能に取り付けられた小型ブラシと、
前記吸込パイプの他端開口に連通させる連通口が設けられ且つ前記吸込パイプの前記小型ブラシとは反対側の外周面に取り付けられた小型ノズルを備える電気掃除機であって、
前記小型ノズルは前記吸込パイプの長手方向にスライド移動可能に且つ前記他端の位置で前記吸込パイプと所定角度を為すことが可能なスライド回動機構を介して前記吸込パイプに取り付けられ、
前記吸込口体に代えて前記小型ノズルを使用するために、前記小型ノズルを前記吸込パイプの他端まで移動させた位置で前記小型ブラシと前記小型ノズルを係止させる係止手段が設けられ、
前記小型ブラシは、前記小型ノズルに前記係止手段により係止させられたときに、前記連通口と前記吸込パイプの他端開口とを連通させる空間を前記小型ノズルとの間に形成可能な形状に形成されていることを特徴とする電気掃除機。
【発明の詳細な説明】
【技術分野】
【０００１】
この発明は、吸込パイプの先端部に補助ブラシを設けた電気掃除機に関するものである。
【背景技術】
【０００２】
従来の電気掃除機には、集塵室及び該集塵室に吸込負圧を作用させる電動送風機が設けられた掃除機本体と、この集塵室に接続された集塵ホースと、この集塵ホースの他端部に設けられた手元操作パイプと、この手元操作パイプに接続された延長パイプと、この延長パイプの先端部に着脱可能に取り付けられた吸込口体を備えるものが知られている。
【０００３】
このような電気掃除機においては、手元操作パイプの先端部や延長パイプの先端に上述した吸込口体とは別に補助の丸ブラシを取り付けて、丸ブラシを用いることができるようにしたものが知られている（例えば、特許文献１、２参照）。
【０００４】
また、従来の電気掃除機には、延長パイプの先端部に前後に細長く延びる小型ノズルを取り付けると共に、この小型ノズルを左右に延びる吸込口体に着脱可能に装着して、高さの少ない空間の掃除を行う場合は小型ノズルを用いるようにしたものも知られてい（例えば特許文献２参照）。
【特許文献１】特開２０００−３２５２７７号公報
【特許文献２】特開２００３−３３９５８５号公報
【発明の開示】
【発明が解決しようとする課題】
【０００５】
しかしながら、従来は、延長パイプの先端部に丸ブラシ又は小型ノズルの一方のみを取り付けておいて、丸ブラシ又は小型ノズルの一方を吸込口体に着脱可能に接続した構造であったため、付け替え作業に手間がかかった。
【０００６】
そこで、この発明は、小型ブラシ及び小型ノズルを吸込パイプに取り付けた状態で、吸込口体と小型ブラシ又は小型ノズルを選択的に使用できるようにすることにより、小型ブラシと小型ノズルの付け替え作業に手間がかからない電気掃除機を提供することを目的とするものである。
【課題を解決するための手段】
【０００７】
この目的を達成するため、この発明は、集塵室及び該集塵室に吸込負圧を作用させる電動送風機が設けられた掃除機本体と、一端部が前記集塵室に連通させられた吸込パイプと、前記吸込パイプの他端部に着脱可能に取り付けられた吸込口体と、ブラシ本体の端面にブラシ毛が植毛され且つ前記吸込パイプの他端部に回動可能に取り付けられた小型ブラシと、前記吸込パイプの他端開口に連通させる連通口が設けられ且つ前記吸込パイプの前記小型ブラシとは反対側の外周面に取り付けられた小型ノズルを備える電気掃除機であって、前記小型ノズルは前記吸込パイプの長手方向にスライド移動可能に且つ前記他端の位置で前記吸込パイプと所定角度を為すことが可能なスライド回動機構を介して前記吸込パイプに取り付けられ、前記吸込口体に代えて前記小型ノズルを使用するために、前記小型ノズルを前記吸込パイプの他端まで移動させた位置で前記小型ブラシと前記小型ノズルを係止させる係止手段が設けられ、前記小型ブラシは、前記小型ノズルに前記係止手段により係止させられたときに、前記連通口と前記吸込パイプの他端開口とを連通させる空間を前記小型ノズルとの間に形成可能な形状に形成されている電気掃除機としたことを特徴とする。
【発明の効果】
【０００８】
この構成によれば、小型ブラシ及び小型ノズルを吸込パイプに取り付けた状態で、吸込口体と小型ブラシ又は小型ノズルを選択的に使用できる。この結果、小型ブラシと小型ノズルの付け替え作業に手間がかからない。
【発明を実施するための最良の形態】
【０００９】
以下、この発明の実施の形態を図面に基づいて説明する。
【００１０】
図１において、１は電気掃除機の掃除機本体、２は掃除機本体１の前部に設けられた集塵室、３は集塵室２内に配設された紙パックフィルタ等の集塵袋、４は掃除機本体１の後部内に配設され且つ集塵室２に吸込負圧を作用させる電動送風機、５は一端が掃除機本体１に着脱可能に接続され且つ集塵室２に連通する集塵ホースである。
【００１１】
この集塵ホース５の他端部には手元操作パイプ（手元操作管）６が設けられ、この手元操作パイプ（吸込パイプ）６には操作パネル７が設けられている。この操作パネル７に設けられたスイッチＳ１〜Ｓ３の操作により電動送風機４のＯＮ・ＯＦＦ操作及び電動送風機４の強弱運転等の切り換えを行うことができるようになっている。
【００１２】
また、手元操作パイプ６には延長パイプ（延長管、吸込パイプ）８の一端部が着脱可能に接続され、延長パイプ８の他端部には吸込口体９の接続パイプ９ａが着脱可能に接続されている。
【００１３】
この延長パイプ８の他端部には、図２に示したように半球状で且つ上方に膨出する膨出突部１０が形成されている（図３，図４，図６参照）。また、延長パイプ８の膨出突部１０とは反対側の部分には、図６に示したように前後に間隔をおいて取付穴１１，１１が形成されている。
【００１４】
この延長パイプ８には、図２〜図５に示したように基台１２，小型ブラシ１３，小型ノズル１４が取り付けられている。
（基台１２）
この基台１２には、図６に示したように長手方向両端に開放する円弧状溝１５と、この円弧状溝１５に長手方向に間隔をおいて突設された一対の取付ボス１６，１６が形成されている。そして、この取付ボス１６，１６を延長パイプ８の取付穴１１，１１に嵌合すると共に、円弧状溝１５を図２〜図５の如く延長パイプ８の外周面に接着剤により接着させることにより、基台１２は延長パイプ８の外周面の膨出突部１０とは反対側の部分に取り付けられる。
【００１５】
また、基台１２には、図７の如く円弧状溝１５と反対側に位置し且つ長手方向中間部に位置させられたストッパ収納部１７と、このストッパ収納部１７から図６，図７の如く一端面１２ａ側に向けて延び且つ一端面１２ａに開放するガイド溝１８が設けられている。尚、ストッパ収納部１７は長手方向に向けてガイド溝１８に開放している。
【００１６】
また、基台１２の両側部には、図４，図５の如く側方に開放し、且つ図６，図７に示したように長手方向両端部まで延びるガイド溝１９が形成されている。更に、基台１２の一端部には係合片２０，２０が側面に対して間隔をおいて一体に設けられ、各係合片２０には基台１２の長手方向に向けて延び且つ基台１２の他端側に向けて開放する係合切欠２０ａが形成されている。この係合切欠２０ａは、一端面１２ａ側の係合端部２０ｂが半円状に形成されている。しかも、基台１２の両側部には、図４，図５に示したように一端面１２ａ側の端部に位置させて半円状の係合端部２０ｂと同軸の軸支持穴２１が形成されている。
【００１７】
尚、基台１２の両側部の後端部には図６に示したようにガイド溝１９の後端部に対応して突部１２ａが形成され、この突部１２ａには円形の軸係合切欠１２ｂが形成されている。この軸係合切欠１２ｂは、係合片２０側に向けて開放して、係合切欠２０ａは開放端が互いに対向している。しかも、係合切欠１２ｂは、開放端が僅かに狭く形成されている。
（小型ブラシ１３）
この小型ブラシ１３は、図６に示したようにＵ字状のブラシ本体２２と、ブラシ本体２２のＵ字状端面２２ａに植毛されたブラシ毛２３と、ブラシ本体２２の対向側部２２ｂ，２２ｂの自由端部に一体に設けられた同一軸線の支持軸２４，２４を有する。
【００１８】
この支持軸２４，２４は、図４の如く基台１２の軸支持穴２１，２１に回転自在に嵌着されている。これにより、小型ブラシ１３は、基台１２を介して延長パイプ８の他端部に回動可能に取り付けられている。
【００１９】
また、ブラシ本体２２の中央部のＵ字状端面２２ａには係止穴２５が形成されている。
（小型ノズル１４）
この小型ノズル１４は、図２〜図６に示したように、ノズル本体２６と、ノズル本体２６の下面の周縁部に植毛されたブラシ毛２７を有する。
【００２０】
このノズル本体２６内には、図２に示したように、長手方向に延び且つ下面に開口する吸込開口２８ａが設けられた吸込室２８が設けられている。２９は、吸込室２８の延長パイプ８側に位置する壁部である。
【００２１】
この壁部２９は、図２，図６に示したように長手方向中央部において巾方向に延びる段差部（段差壁）２９ａと、段差部２９ａを境とする一端側の段壁２９ｂ及び他端側の段壁２９ｃを有する。尚、段壁２９ｂは段壁２９ｃよりも吸込開口２８ａ側に位置している。
【００２２】
また、ノズル本体２６は、図２，図６に示したように段差部２９ａの巾方向中央に設けられた側面形状がＴ字状のストッパ３０と、段壁２９ｂを底部とするブラシ毛収納用の凹部３１と、段壁２９ｃに設けられた連通口３２を有する。Ｔ字状のストッパ３０は、図２のようにストッパ収納部１７に係止させる係止部３０ａと、図８〜図１１のように小型ブラシ１３の係止穴２５に係合させる係止部３０ｂを有する。
【００２３】
このストッパ３０の係止部３０ｂと小型ブラシ１３の係止穴２５は小型ノズル１４を小型ブラシ１３に係止させる係止手段Ｂ（図１１参照）を構成している。
【００２４】
更に、図６に示したように、ノズル本体２６の他端部２９ｂ側の両側には、支持片３３，３３がブラシ毛２７とは反対方向に向けて突設されている。この支持片３３，３３の対向面には支持軸３４，３４が突設されている。この支持軸３４，３４は図４，図５に示したように基台１２のガイド溝１９，１９に長手方向に移動可能に挿入係合させられている。
【００２５】
この支持軸３４の外径は、軸係合切欠１２ｂに係合可能で、且つ軸係合切欠１２ｂの開放端の間隔より僅かに大きく形成されている。
【００２６】
この基台１２のガイド溝１９及び係合片２０の係合切欠２０ａと小型ノズル１４の支持軸３４は、小型ノズル１４を引き出した位置で延長パイプ８と所定角度を為すことが可能となるように回動させるスライド回動機構を構成している。
[作用]
次に、このような構成の電気掃除機の作用を説明する。
【００２７】
このような構成において、吸込口体９を使用する場合には、小型ノズル１４を基台１２に沿わせると共に、小型ノズル１４の支持軸３４を基台１２に設けたガイド溝１９の後端部（手元操作パイプ６側の端部）まで移動させて、支持軸３４を軸係合切欠１２ｂに係合させる。この位置では、小型ノズル１４に所定値以上の引き出し力が作用しない以上、支持軸３４が軸係合切欠１２ｂの開放端部を弾性変形させて抜け出ることはない。しかも、この位置では、Ｔ字状のストッパ３０の係止部３０ａが基台１２のストッパ収納部１７に嵌着係合されている。このようにして小型ノズル１４が基台１２の延長パイプ８とは反対側の面に沿って保持される。
【００２８】
この状態で、手元操作パイプ６に設けた操作パネル７の操作により、電動送風機４をＯＮさせて駆動させると、電動送風機４の吸込負圧が集塵室２に作用する。この集塵室２に作用する吸込負圧は、集塵袋３，集塵ホース５，手元操作パイプ６，延長パイプ８を介して吸込口体９に作用する。
【００２９】
この状態で吸込口体９を清掃面上で移動操作することにより、清掃面の塵埃が吸込口体９に空気と共に吸い込まれる。この吸込口体９に吸い込まれた空気は、空気と共に延長パイプ８，手元操作パイプ６，集塵ホース５，集塵袋３，集塵室２を介して電動送風機４に吸い込まれる。この空気に含まれる塵埃は、空気が集塵袋３を透過する際に、集塵袋３に捕集される。
【００３０】
ところで、上述した吸込口体９では清掃しにくい引戸や窓ガラスの桟や鴨居の上面等の清掃を行う場合には、吸込口体９の接続パイプ９ａを延長パイプ８の先端部（他端部）から取り外すことにより、図２の如く小型ブラシ１３のブラシ毛２３が延長パイプ８の先端から突出した状態となる。
【００３１】
この状態で、上述したように電動送風機４を駆動させることにより、小型ブラシ１３を介して清掃しにくい引戸や窓ガラスの桟や鴨居の上面等の塵埃を吸い込んで集塵袋３に捕集することができる。
【００３２】
また、吸込口体９が入らないような狭い場所の清掃を行う場合には、図２の状態から小型ノズル１４を図３に矢印Ａ１で示したように延長パイプ８の先端から僅かに突出するまで引き出した（移動させた）後、図３中ブラシ毛２３を下方に移動してブラシ毛２３がブラシ毛収納用の凹部３１に入るまで、小型ブラシ１３を図４の支持軸２４を中心に回動させる。
【００３３】
この後、小型ノズル１４を更に図８，図９に示した位置まで引き出して、小型ノズル１４に設けたストッパ３０の係止部３０ｂを小型ブラシ１３の係止穴２５に挿入係合させることにより、小型ブラシ１３と小型ノズル１４を係止させる。この位置では、小型ノズル１４の支持軸３４が基台１２の係合片２０に設けた係合切欠２０ａに係合すると共に、図４の如く小型ノズル１４の支持軸３４が小型ブラシ１３の支持軸２４とが同一軸線上に位置させられる。
【００３４】
この状態で、小型ブラシ１３及び小型ノズル１４を一体且つ支持軸２４及び３４を中心にそれぞれ回動させて、図１０，図１１に示したように小型ノズル１４が延長パイプ８の軸線に対して傾斜させる。この際、小型ブラシ１３のブラシ本体２２を延長パイプ８の膨出突部１０に係合させることにより、図１１に示したように小型ブラシ１３と小型ノズル１４の段壁２９ｃとの間に段壁２９ｃの連通口３２と延長パイプ８の先端を連通させる空間３６が形成される。
【００３５】
このブラシ本体２２と延長パイプ８の膨出突部１０との係合部にはある程度の摩擦力を持たせておくことで、小型ノズル１４が延長パイプ８の軸線に対して所定角度傾斜した状態を維持させることができる。尚、ブラシ本体２２と膨出突部１０との係合部との間に互いに係合する僅かな凹部（図示せず）と凸部（図示せず）をそれぞれ設けることにより、小型ノズル１４が延長パイプ８の軸線に対して所定角度傾斜した状態を維持させるようにすることもできる。また、小型ノズル１４が延長パイプ８の軸線に対して所定角度傾斜したときに、小型ノズル１４の支持片３３の前縁部が当接する突部（図示せず）を基台１２の係合片２０の前縁部に設けて、小型ノズル１４が延長パイプ８の軸線に対して更に回動するのを阻止するようにすることもできる。
【００３６】
そして、小型ノズル１４が延長パイプ８の軸線に対して所定角度傾斜状態で、上述したように電動送風機４を駆動させることにより、吸込口体９が入らないような狭い場所に小型ノズル１４を移動させて清掃を行うことにより、清掃面の塵埃を吸い込んで集塵袋３に捕集することができる。
【００３７】
尚、小型ノズル１４の使用時には小型ブラシ１３が延長パイプ８と小型ブラシ１４との間を覆っているので、小型ブラシ１３が延長パイプ８の役目をしている。また、このような小型ブラシ１３と小型ノズル１４の付け替え構造は手元操作パイプ６に適用することもできる。
【００３８】
以上説明したように、この発明の実施の形態の電気掃除機は、集塵室３及び該集塵室３に吸込負圧を作用させる電動送風機４が設けられた掃除機本体１と、一端部が前記集塵室３に連通させられた吸込パイプ（手元操作パイプ６，延長パイプ８）と、前記吸込パイプ（６，８）の他端部に着脱可能に取り付けられた吸込口体９を備えている。また、この電気掃除機は、ブラシ本体の端面にブラシ毛２３が植毛され且つ前記吸込パイプ（６，８）の他端部に回動可能に取り付けられた小型ブラシ１３と、前記吸込パイプ（６，８）の他端開口に連通させる連通口３２が設けられ且つ前記吸込パイプ（６，８）の前記小型ブラシ１３とは反対側の外周面に取り付けられた小型ノズル１４を備えている。しかも、前記小型ノズル１４は前記吸込パイプ（６，８）の長手方向にスライド移動可能に且つ前記他端の位置で前記吸込パイプ（６，８）と所定角度を為すことが可能なスライド回動機構（ガイド溝１９，係合切欠２０ａ，支持軸３４等を備える）を介して前記吸込パイプ（６，８）に取り付けられている。更に、前記吸込口体９に代えて前記小型ノズル１４を使用するために、前記小型ノズル１４を前記吸込パイプ（６，８）の他端まで移動させた位置で前記小型ブラシ１３と前記小型ノズル１４を係止させる係止手段（Ｂ）が設けられている。そして、前記小型ブラシ１３は、前記小型ノズル１４に前記係止手段（Ｂ）により係止させられたときに、前記連通口３２と前記吸込パイプ（６，８）の他端開口とを連通させる空間３６を前記小型ノズル１４との間に形成可能な形状に形成されている。
【００３９】
この構成によれば、小型ブラシ１３及び小型ノズル１４を吸込パイプ（６，８）に取り付けた状態で、吸込口体９と小型ブラシ１３又は小型ノズル１４を選択的に使用できる。この結果、小型ブラシ１３と小型ノズル１４の付け替え作業に手間がかからない。
【図面の簡単な説明】
【００４０】
【図１】この発明に係る電気掃除機の概略斜視図である。
【図２】図１の吸込口体を延長パイプから取り外した状態で、この延長パイプの先端部を断面して示した断面図である。
【図３】図２の小型ブラシを僅かに引き出した状態を示した概略斜視図である。
【図４】図２の小型ブラシ，小型ノズルを基台に対して回動可能にする構造を説明するための断面図である。
【図５】図２の小型ノズルの支持軸と基台との関係を示す断面図である。
【図６】図２の基台，小型ブラシ，小型ノズル，延長パイプの分解斜視図である。
【図７】図６の基台を上下反対にして示した斜視図である。
【図８】図６の小型ノズルのストッパを小型ブラシの係止穴に係止させた状態を示す斜視図である。
【図９】図８のＡ２−Ａ２線に沿う断面図である。
【図１０】図８の小型ノズルを延長パイプに対して所定角度傾斜させた状態を示す斜視図である。
【図１１】図１０のＡ３−Ａ３線に沿う断面図である。
【符号の説明】
【００４１】
１…掃除機本体
３…集塵室
４…電動送風機
６…手元操作パイプ（吸込パイプ）
８…延長パイプ（吸込パイプ）
９…吸込口体
１３…小型ブラシ１３
１４…小型ノズル
１９…ガイド溝（スライド回動機構の構成要素の一部）
２０ａ…係合切欠（スライド回動機構の構成要素の一部）
２３…ブラシ毛
３２…連通口
３４…支持軸（スライド回動機構の構成要素の一部）
３６…空間
Ｂ…係止手段
【図１】
2006280424.tif 000003
【図２】
2006280424.tif 000004
【図３】
2006280424.tif 000005
【図４】
2006280424.tif 000006
【図５】
2006280424.tif 000007
【図６】
2006280424.tif 000008
【図７】
2006280424.tif 000009
【図８】
2006280424.tif 000010
【図９】
2006280424.tif 000011
【図１０】
2006280424.tif 000012
【図１１】
2006280424.tif 000013